(57)【要約】      （修正有）【課題】ドアを開放状態に保持し、一定時間後に保持状態を解放して、ドアを閉じることができるドアストッパーを提供する。【解決手段】ドア２の下部に取り付けられる基板３と、基板３上を摺動するスライダー４と、スライダー４に固設され、アーム５を揺動自在に保持するアーム保持ステー６と、アーム保持ステー６に揺動自在に保持され、先端部５ｅが床面８に係合自在のアーム５とを備え、アーム５を揺動させると共に、スライダー４を押し下げることにより、アーム５の先端部５ｅを床面８に係合させ、ドア２を開放状態に保持自在のドアストッパー１に於いて、基板３に一端が係止され、スライダー４を引張する引っ張りバネ１１と、基板３に枢支され、スライダー４と歯合するローラー１２，１２と、ローラー１２，１２を付勢する押しバネ１３，１３と、押しバネ１３，１３を押圧して押しバネ１３，１３の付勢力を調節する調節ボルト１４，１４とを備えた。【選択図】図２
2007120230.tif 000002
【特許請求の範囲】
【請求項１】
ドアの下部に取り付けられる基板と、該基板上を摺動するスライダーと、該スライダーに固設され、アームを揺動自在に保持するアーム保持ステーと、該アーム保持ステーに揺動自在に保持され、先端部が床面に係合自在の前記アームとを備え、該アームを揺動させると共に、該スライダーを押し下げることにより、該アームの先端部を床面に係合させ、ドアを開放状態に保持自在のドアストッパーに於いて、前記基板に一端が係止され、該スライダーを引張する引っ張りバネと、該基板に枢支され、該スライダーと歯合するローラーと、該ローラーを付勢する押しバネと、該押しバネを押圧して該押しバネの付勢力を調節する調節ボルトとを備え、開放状態に保持されたドアの保持を一定時間後に解放するように構成されたことを特徴とするドアストッパー。
【請求項２】
上記スライダーと上記ローラーの歯合部は夫々ローレット加工されていることを特徴とする請求項１記載のドアストッパー。
【発明の詳細な説明】
【技術分野】
【０００１】
本発明は、ドアを開放状態に保持自在のドアストッパーに於いて、一定時間後に保持状態を解放するように構成されたドアストッパーに関する。
【背景技術】
【０００２】
近年、ドアの下部に取り付けられる基板と、基板上を摺動するスライダーと、スライダーに固設され、アームを揺動自在に保持するアーム保持ステーと、アーム保持ステーに揺動自在に保持され、先端部が床面に係合自在の前記アームとを備え、アームを揺動させると共に、スライダーを押し下げることにより、アームの先端部を床面に係合させ、ドアを開放状態に保持自在のドアストッパーは、広く知られている。
【０００３】
同様のドアストッパーは特許文献１乃至３にも記載されている。但し、特許文献１乃至３に記載されているドアストッパーは、前記スライダーを備えていないものである。
【特許文献１】特開２００３−３０１６５２号公報
【特許文献２】特開２００３−２７８４２９号公報
【特許文献３】特開平９−３２４５７５号公報
【発明の開示】
【発明が解決しようとする課題】
【０００４】
前述した広く知られているドアストッパーは、ドアを開放状態に保持するが、その開放状態の保持を解放するためには、人為的な操作が必要であり、例えば、大きな荷物などを運搬する場合等に両手が塞がっている時、ドアの開放状態の保持を解放して、ドアを閉めることがやや困難である。
【０００５】
又、その場合に、荷物を下ろしてドアを閉めることもできるが、そのことが煩雑な作業となり、作業効率が悪化する。
【０００６】
そこで、一定時間後にドアの開放状態の保持を解放して、ドアを閉めることができるようにすることが望まれている。
尚、ドアを閉める動作は、ドアの自重により行なわれても良く、或いはドアクローザーによって行なわれても良い。
【０００７】
以上の現状に鑑み、本発明は、ドアを開放状態に保持自在のドアストッパーに於いて、一定時間後に保持状態を解放して、ドアを閉じることができるドアストッパーを提供することを目的とする。
【課題を解決するための手段】
【０００８】
上記の課題を解決すべく、本発明は以下の構成を提供する。
請求項１に係る発明は、ドアの下部に取り付けられる基板と、該基板上を摺動するスライダーと、該スライダーに固設され、アームを揺動自在に保持するアーム保持ステーと、該アーム保持ステーに揺動自在に保持され、先端部が床面に係合自在の前記アームとを備え、該アームを揺動させると共に、該スライダーを押し下げることにより、該アームの先端部を床面に係合させ、ドアを開放状態に保持自在のドアストッパーに於いて、前記基板に一端が係止され、該スライダーを引張する引っ張りバネと、該基板に枢支され、該スライダーと歯合するローラーと、該ローラーを付勢する押しバネと、該押しバネを押圧して該押しバネの付勢力を調節する調節ボルトとを備え、開放状態に保持されたドアの保持を一定時間後に解放するように構成されたことを特徴とするドアストッパーを提供するものである。
【０００９】
請求項２に係る発明は、上記スライダーと上記ローラーの歯合部は夫々ローレット加工されていることを特徴とする請求項１記載のドアストッパーを提供するものである。
【発明の効果】
【００１０】
本発明の請求項１記載の発明によれば、ドアの下部に取り付けられる基板と、該基板上を摺動するスライダーと、該スライダーに固設され、アームを揺動自在に保持するアーム保持ステーと、該アーム保持ステーに揺動自在に保持され、先端部が床面に係合自在の前記アームとを備え、該アームを揺動させると共に、該スライダーを押し下げることにより、該アームの先端部を床面に係合させ、ドアを開放状態に保持自在のドアストッパーに於いて、前記基板に一端が係止され、該スライダーを引張する引っ張りバネと、該基板に枢支され、該スライダーと歯合するローラーと、該ローラーを付勢する押しバネと、該押しバネを押圧して該押しバネの付勢力を調節する調節ボルトとを備え、開放状態に保持されたドアの保持を一定時間後に解放するように構成されたドアストッパーを提供するので、ドアを開放状態に保持自在のドアストッパーに於いて、一定時間後に保持状態を解放して、ドアを閉じることができるドアストッパーを提供することができる。
【００１１】
請求項２記載の発明によれば、上記スライダーと上記ローラーの歯合部は夫々ローレット加工されているので、請求項１記載の発明の効果に加え、スライダーとローラーが確実に歯合し、回転を確実に伝達できると共に、歯合部の加工が容易である。
【発明を実施するための最良の形態】
【００１２】
以下、実施例を示した図面を参照しつつ本発明の実施の形態を説明する。
【００１３】
図１に於いて、１は、本発明の第１実施例のドアストッパーであり、ドアストッパー１は、ドア２の下部に取り付けられる基板３と、基板３上を摺動するスライダー４と、スライダー４に固設され、アーム５を揺動自在に保持するアーム保持ステー６と、該アーム保持ステー６に揺動自在に保持され、先端部が床面７に係合自在のアーム５と、アーム５を揺動させると共に、スライダー４を押し下げる踏み板７とを備えている。
【００１４】
そして、前記アーム５は、アーム保持ステー６に枢着されるステー枢着部５ａ近傍で折曲されて、ステー枢着部５ａから基板３側に延びる基端側アーム部５ｂと、ステー枢着部５ａから床面８側に延びる先端側アーム部５ｃとで構成され、基端側アーム部５ｂの長さが先端側アーム部５ｃよりも短く形成され、基端側アーム部５ｂには前記踏み板７の脚部７ａに枢支される踏み板枢着部５ｄが形成され、先端側アーム部５ｃは、先端側アーム部５ｃの先端近傍が折曲されて、アーム５先端面５ｅが床面８に係合する時、アーム５の先端５ｅ近傍が略鉛直方向になり、アーム５の先端５ｅ面が略水平になるように形成されており、アーム５の先端５ｅには、床面８を保護するため、例えば、ゴム等の保護カバー９が設けられている。
【００１５】
又、前記踏み板７は、アーム保持ステー６に対して上下方向に所定寸法摺動するように形成され、この摺動によってアーム５を揺動させる。
【００１６】
尚、踏み板７を所定寸法摺動させた後、更に踏み下げると、踏み板７は、スライダー４がストッパー１０に当接するまで下降し、踏み板７と同時にアーム保持ステー６、スライダー４及びアーム５も下方に押し下げられ、アーム５の先端５ｅの保護カバー９が床面８に接触する。
【００１７】
更に、前記ドアストッパー１は、前記基板３に一端が係止され、スライダー４を引張する引っ張りバネ１１と、図２及び図３に示す如く、基板３に枢支され、スライダー４と歯合するローラー１２，１２と、ローラー１２，１２を付勢する押しバネ１３，１３と、押しバネ１３，１３を押圧して押しバネ１３，１３の付勢力を調節する調節ボルト１４，１４とを備えている。
【００１８】
そして、図４に示す如く、ローラー１２の外周部にはローレット加工された凹凸状のローレット１２ａが形成され、一方のスライダー４の外側部にもローラー１２のローレット１２ａと歯合するローレット加工された凹凸状のローレット４ａが所定長さ形成されている。尚、図４に於いて、左半図はスライダー４が上昇した時のスライダー４のローレット４ａとローラー１２のローレット１２ａとの歯合状態を示し、右半図はスライダー４が下降した時のスライダー４のローレット４ａとローラー１２のローレット１２ａとの歯合状態を示している。
【００１９】
而して、前記ドアストッパー１の作動について説明すると、図５は、ドア２が開いた時点の状態を示し、この状態に於いては、スライダー４は、引っ張りバネ１１の引張力により上方に引張されて、最上位置にあり、一方、アーム５は、自重により先端側アーム部５ａが略鉛直状態にあり、先端側アーム部５ｃの先端５ｅが床面８から僅かに離反しており、基端側アーム部５ｂがドア２に向かって斜め上方向を向いている。この時、踏み板７もアーム５の自重による揺動により基端側アーム部５ｂによって押し上げられ最上位置にある。
【００２０】
そして、踏み板７を矢印Ａの如く踏み下げることにより、踏み板７は、アーム保持ステー６に対して図中破腺の位置まで下方向に所定寸法摺動し、この摺動によってアーム５をステー枢着部５ａ回りに図に於いて反時計回りに図中破腺の位置まで揺動させ、踏み板７が更に踏み下げられると、踏み板７は、スライダー４がストッパー１０に当接するまで押し下げられ、同時に、アーム保持ステー６、ストッパー１０及びアーム５を下方に押し下げ、アーム５の先端５ｅの保護カバー９が床面８に接触する。
【００２１】
この時、図４の右半図に示す如く、スライダー４の側面部のローレット４ａの上端部がローラー１２のローレット１２ａに噛み合っている。
【００２２】
踏み板７の踏み下げを止めると、引っ張りバネ１１によりスライダー４が上昇し始める。この時、ローラー１２は、押しバネ１３により付勢されて回転に抵抗が生じており、ローラー１２は、少しずつ回転し、スライダー４は除々に上昇する。スライダー４が上昇し、スライダー４のローレット４ａがローラー１２のローレット１２ａから外れるとスライダー４が迅速に上昇する。
【００２３】
この時、アーム５は、スライダー４の上昇と共に、ステー枢着部５ａ回りに揺動するが、スライダー４が一定寸法上昇するまで、アーム５の先端５ｅの保護カバー９が床面８に接触しており、この時間に於いては、ドア２は開状態を保持し、スライダー４が一定寸法以上上昇すると、アーム５の先端５ｅの保護カバー９が床面８から僅かに離れ、即ち、図５の実線で示すアーム５の位置になり、ドア２は自重により、或いは、図示しないドアクローザーによって閉まり始める。
【００２４】
斯くして、本発明のドアストッパー１は、基板３に一端が係止され、スライダー４を引張する引っ張りバネ１１と、基板３に枢支され、スライダー４と歯合するローラー１２と、ローラー１２を付勢する押しバネ１３と、押しバネ１３を押圧して押しバネ１３の付勢力を調節する調節ボルト１４とを備えているので、一定時間後にドア２の開放保持状態を解放して、ドアを閉じることができる。
【００２５】
これにより、例えば、大きな荷物などを運搬する場合等に両手が塞がっている時、自動的に、ドア２を閉めることができ、運搬作業等の効率を高めることができる。又、締め忘れを防止することができる。
【００２６】
又、前記スライダー４と前記ローラー１２の歯合部は夫々ローレット加工されているので、スライダー４とローラー１２が確実に歯合し、回転を確実に伝達できると共に、歯合部の加工が容易である。
【図面の簡単な説明】
【００２７】
【図１】本発明のドアストッパーがドアの開状態を保持している状態を示す側面縦断面図である。
【図２】図１に示すドアストッパーの一部切欠正面図である。
【図３】図１に示すドアストッパーの一部切欠平面図である。
【図４】図１に示すドアストッパーのスライダーとローラーとの歯合状態を示す正面縦断面図であり、左半図はスライダーが上昇した時の歯合状態を示し、右半図はスライダーが下降した時の歯合状態を示す。
【図５】本発明のドアストッパーがドアの開状態を保持する前の状態を示す側面縦断面図である。
【符号の説明】
【００２８】
１  ドアストッパー
２  ドア
３  基板
４  スライダー
５  アーム
５ｂ  基端側アーム部
５ｃ  先端側アーム部
６  アーム保持ステー
７  踏み板
１１  引っ張りバネ
１２  ローラー
１３  押しバネ
１４  調節ボルト
【図１】
2007120230.tif 000003
【図２】
2007120230.tif 000004
【図３】
2007120230.tif 000005
【図４】
2007120230.tif 000006
【図５】
2007120230.tif 000007